(57)【要約】      （修正有）【課題】魚釣用スピニングリールのロータにおいて、ロータの外観を向上させた場合でも、糸絡みがしにくい魚釣用スピニングリールのロータを提供する。【解決手段】ロータは、円筒部と、第１ロータアーム１２と、第１ベール支持部材１３と、第１連結部材１４と、第１カバー部材１５と、を備える。円筒部は、リール本体に回転自在に装着されている。第１ロータアーム１２は、円筒部の径方向外側で前方に延びている。第１ベール支持部材１３は、第１ロータアーム１２の先端に揺動可能に連結されている。第１連結部材１４は、第１ベール支持部材１３を第１ロータアーム１２に連結し、被係合部１４ｃを有する。第１カバー部材１５は、第１ロータアーム１２および第１ベール支持部材１３の少なくとも一部を覆い、第１連結部材１４の被係合部１４ｃに係合する係合部を有する。【選択図】図３
2019041716.tif 000002
【特許請求の範囲】
【請求項１】
魚釣用スピニングリールのリール本体に回転自在に装着可能なロータであって、
前記リール本体に回転自在に装着された円筒部と、
前記円筒部の径方向外側で前方に延びる第１ロータアームと、
前記第１ロータアームの先端に揺動可能に連結された第１ベール支持部材と、
前記第１ベール支持部材を前記第１ロータアームに連結し、被係合部を有する第１連結部材と、
前記第１ロータアームおよび前記第１ベール支持部材のそれぞれの少なくとも一部を覆い、前記第１連結部材の前記被係合部に係合する係合部を有する第１カバー部材と、
を備えた、
魚釣用スピニングリールのロータ。
【請求項２】
前記第１連結部材は、前記第１ベール支持部材を前記第１ロータアームに揺動可能に支持する揺動軸部を有する、
請求項１に記載の魚釣用スピニングリールのロータ。
【請求項３】
前記第１連結部材の前記被係合部は、前記揺動軸部の一端部に凹んで設けられ、
前記第１カバー部材の前記係合部は、前記被係合部に係合する突起である、
請求項２に記載の魚釣用スピニングリールのロータ。
【請求項４】
前記第１連結部材は、前記揺動軸部の前記一端部に前記揺動軸部の外径よりも大径の頭部をさらに有し、
前記第１連結部材の前記揺動軸部は、少なくとも一部にねじ部が設けられ、
前記第１連結部材の前記被係合部は、前記頭部に設けられ、ねじ込み用の工具を係止可能である、
請求項３に記載の魚釣用スピニングリールのロータ。
【請求項５】
前記第１カバー部材は、
前記第１ロータアームの少なくとも一部を覆うカバー本体部と、
前記第１連結部材の少なくとも一部を覆う延伸部と、
を有し、
前記係合部は、前記延伸部の先端部に設けられている、
請求項１から４のいずれか１項に記載の魚釣用スピニングリールのロータ。
【請求項６】
前記第１ロータアームと前記延伸部との間を覆う補完カバー部材を、さらに備えた、
請求項５に記載の魚釣用スピニングリールのロータ。
【請求項７】
前記円筒部の径方向外側で前方に延びる第２ロータアームと、
前記第２ロータアームの先端に揺動可能に連結された第２ベール支持部材と、
前記第２ベール支持部材を前記第２ロータアームに連結し、被係合部を有する第２連結部材と、
前記第２ロータアームおよび前記第２ベール支持部材のそれぞれの少なくとも一部を覆い、前記第２連結部材の前記被係合部に係合する係合部を有する第２カバー部材と、
を、さらに備えた、
請求項1から６のいずれか１項に記載の魚釣用スピニングリールのロータ。
【発明の詳細な説明】
【技術分野】
【０００１】
本発明は、魚釣用スピニングリールのロータに関する。
【背景技術】
【０００２】
魚釣用スピニングリールのロータは、リール本体に回転自在に装着され、釣り糸をスプールに案内する。ロータは、ロータ本体部と、ロータアームと、ベール支持部材と、カバー部材と、を備えている。ロータ本体部は、円筒状であり、リール本体に回転自在に装着されている。ロータアームは、ロータ本体部の径方向外側で前方に向かって延びている。ベール支持部材は、ロータアームの先端に揺動可能に連結されている。カバー部材は、ロータアームを外側から覆うように配置されている（特許文献１及び２参照）。
【先行技術文献】
【特許文献】
【０００３】
【特許文献１】特開２００４−１４１０３９号公報
【特許文献２】特開２０１１−０３０４６５号公報
【発明の概要】
【発明が解決しようとする課題】
【０００４】
ところで、ロータの外観を向上させるために、例えば、カバー部材をベール支持部材の一部に覆い被せて配置した場合（特許文献２の図３参照）、カバー部材とベール支持部材との間で糸絡みが生じるおそれがある。
【０００５】
本発明の課題は、魚釣用スピニングリールのロータにおいて、ロータの外観を向上させた場合でも、糸絡みがしにくい魚釣用スピニングリールのロータを提供することにある。
【課題を解決するための手段】
【０００６】
本発明の一側面に係る魚釣用スピニングリールのロータは、魚釣用スピニングリールのリール本体に回転自在に装着可能である。ロータは、円筒部と、第１ロータアームと、第１ベール支持部材と、第１連結部材と、第１カバー部材と、を備えている。円筒部は、リール本体に回転自在に装着されている。第１ロータアームは、円筒部の径方向外側で前方に延びている。第１ベール支持部材は、第１ロータアームの先端に揺動可能に連結されている。第１連結部材は、第１ベール支持部材を第１ロータアームに連結し、被係合部を有している。第１カバー部材は、第１ロータアームおよび第１ベール支持部材のそれぞれの少なくとも一部を覆い、第１連結部材の被係合部に係合する係合部を有している。
【０００７】
この魚釣用スピニングリールのロータでは、第１ベール支持部材の少なくとも一部が第１カバー部材により覆われているため、第１カバー部材と第１ベール支持部材との間で糸絡みが生じるおそれがある。しかしながら、第１カバー部材と第１ベールアーム支持部材との間に釣り糸が侵入しようとした場合は、第１カバー部材の係合部が釣り糸に接触して、釣り糸の侵入が妨げられる。このため、ロータの外観を向上させた場合でも、糸絡みが生じにくくなる。
【０００８】
好ましくは、第１連結部材は、第１ベール支持部材を揺動可能に支持する揺動軸部を有している。この場合は、第１連結部材によって第１ベール支持部材を揺動可能に支持することができる。
【０００９】
好ましくは、第１連結部材の被係合部は、揺動軸部の一端部に凹んで設けられ、第１カバー部材の係合部は、被係合部に係合する突起である。この場合は、第１連結部材の被係合部と第１カバー部材の係合部とを簡単な構成で係合させることができる。
【００１０】
好ましくは、第１連結部材は、揺動軸部の一端部に揺動軸部の外径よりも大径の頭部をさらに有している。第１連結部材の揺動軸部は、少なくとも一部にねじ部が設けられている。第１連結部材の被係合部は、頭部に設けられ、ねじ込み用の工具を係止可能である。この場合は、工具係止用に設けられた凹部等を被係合部として利用することができる。
【００１１】
好ましくは、第１カバー部材は、第１ロータアームの少なくとも一部を覆うカバー本体部と、第１連結部材の少なくとも一部を覆う延伸部と、を有し、係合部は、延伸部の先端部に設けられている。この場合は、係合部が延伸部の先端に設けられるため、第１カバー部材の延伸部と第１ベールアーム支持部材との間で糸絡みが生じにくくなる。
【００１２】
好ましくは、第１ロータアームと延伸部との間を覆う補完カバー部材をさらに備えている。この場合は、補完カバー部材により第１ロータアームと延伸部との隙間を埋めることができるため、第１ロータアームの見栄えが向上する。
【００１３】
好ましくは、円筒部の径方向外側で前方に延びる第２ロータアームと、第２ロータアームの先端に揺動可能に連結された第２ベール支持部材と、第２ベール支持部材を第２ロータアームに連結し、被係合部を有する第２連結部材と、第２ロータアームおよび前記第２ベール支持部材のそれぞれの少なくとも一部を覆い、第２連結部材の被係合部に係合する係合部を有する第２カバー部材と、をさらに備えている。
【発明の効果】
【００１４】
本発明によれば、スピニングリールのロータにおいて、ロータの外観を向上させた場合でも、糸絡みがしにくい魚釣用スピニングリールのロータを提供することができる。
【図面の簡単な説明】
【００１５】
【図１】本発明の一実施形態が採用されたスピニングリールの側面図。
【図２】本発明の一実施形態が採用されたスピニングリールの縦断面図。
【図３】スピニングリールの第１ロータアーム側の斜視図。
【図４】図２の第１ロータアームの拡大図。
【図５】第１連結部材の平面図。
【図６】第１カバー部材を第１ロータアームから取り外したときの斜視図。
【発明を実施するための形態】
【００１６】
以下、図面に基づいて本発明の実施形態を説明する。なお、以下の説明において、スプール２の中心軸Ｘと直交する方向を径方向という。また、スプール２の中心軸Ｘから離れる方向を外側、スプール２の中心軸Ｘに近づく方向を内側という。また、釣りを行うときに、釣糸が繰り出される方向を前、その反対方向を後として説明する。具体的には、図１において、左側が前、右側が後である。
【００１７】
図１は、本発明の一実施形態が採用されたスピニングリール１００の側面図である。また、図２は、スピニングリール１００の縦断面図である。スピニングリール１００は、リール本体１と、スプール２と、ロータ３と、を備えている。
【００１８】
リール本体１は、図２に示すように、内部に空間を有しており、この空間には、ロータ３が駆動されるロータ駆動機構４や、スプール２に釣り糸を均一に巻き付けるためのオシレーティング機構５などが収容されている。
【００１９】
スプール２は、円筒状の部材である。スプール２の外周には、リール本体１に回転可能に連結されたハンドル６の回転に伴って外周に釣り糸が巻き付けられる。
【００２０】
ロータ３は、スプール２に釣り糸を巻き付けるための部材である。ロータ３は、リール本体１に回転自在に装着可能である。ロータ３は、ハンドル６の回転に伴ってスプール２の中心軸Ｘを中心に回転する。
【００２１】
ロータ３は、図２及び図３に示すように、リール本体１に回転自在に装着された円筒部１１と、第１ロータアーム１２と、第１ベール支持部材１３と、第１連結部材１４と、第１カバー部材１５と、補完カバー部材１６と、を有している。図３は、スピニングリール１００の第１ロータアーム１２側の斜視図である。なお、図１及び図２では、補完カバー部材１６の図示を省略している。さらに、ロータ３は、第２ロータアーム２２と、第２ベール支持部材２３と、第２連結部材２４と、第２カバー部材２５と、を有している。
【００２２】
第１ロータアーム１２および第２ロータアーム２２は、円筒部１１の後端部から外側に湾曲して、円筒部１１の外側で前方に延びている。第１ロータアーム１２と第２ロータアーム２２とは、円筒部１１を挟んで互いに対向する位置に設けられている。
【００２３】
第１ロータアーム１２は、外側に向けて突出する第１ボス部１２ａを有している。第１ボス部１２ａにはねじ孔が形成されている。
【００２４】
第１ベール支持部材１３は、第１ロータアーム１２の先端に揺動可能に連結されている。同様に、第２ベール支持部材２３は、第２ロータアーム２２の先端に揺動可能に連結されている。
【００２５】
第１ベール支持部材１３の先端には、釣り糸をスプール２に案内するラインローラ３０が回転自在に装着されている。第１ベール支持部材１３および第２ベール支持部材２３は、ベールアーム３１のそれぞれ両端を支持している。
【００２６】
第１ベール支持部材１３は、図４に拡大して示すように、径方向に貫通する貫通孔１３ａを有している。貫通孔１３ａは、大径孔部１３ｂと、大径孔部１３ｂの径よりも小径の小径孔部１３ｃと、を有している。大径孔部１３ｂは、小径孔部１３ｃの外側に設けられている。
【００２７】
第１連結部材１４は、第１ベール支持部材１３を第１ロータアーム１２に連結している。第１連結部材１４は、第１ベール支持部材１３の貫通孔１３ａに外側から挿入される。第１連結部材１４は、揺動軸部１４ａと、頭部１４ｂと、被係合部１４ｃと、を有している。
【００２８】
揺動軸部１４ａは、第１ベール支持部材１３の貫通孔１３ａの小径孔部１３ｃを貫通して、第１ベール支持部材１３を揺動可能に支持している。揺動軸部１４ａは、外周の少なくとも一部にねじ部１４ｄを有し、このねじ部１４ｄが第１ロータアーム１２の第１ボス部１２ａのねじ孔に螺合されている。これにより、第１ベール支持部材１３が、第１ロータアーム１２に揺動可能に連結されている。
【００２９】
頭部１４ｂは、円形であり、揺動軸部１４ａの一端部に揺動軸部１４ａの外径よりも大径に形成されている。頭部１４ｂは、第１ベール支持部材１３の貫通孔１３ａの大径孔部１３ｂに収容され、第１ベール支持部材１３が第１ロータアーム１２から抜け出るのを防止している。頭部１４ｂは、一部が大径孔部１３ｂから外側に僅かに突出している。
【００３０】
被係合部１４ｃは、揺動軸部１４ａの一端部に凹んで設けられている。本実施形態では、被係合部１４ｃは、頭部１４ｂに設けられている。また、被係合部１４ｃは、ねじ込み用の工具を係止可能である。被係合部１４ｃは、図５に示すように、頭部１４ｂの中央に設けられた円形状の円形凹部１４ｅと、円形凹部１４ｅを直線状に横断する直線凹部１４ｆと、を有している。円形凹部１４ｅの直径は、直線凹部１４ｆの幅よりも大きい。なお、図５は、第１連結部材１４の平面図、すなわち頭部１４ｂを外側から見たときの図である。
【００３１】
第１カバー部材１５は、図２及び図３に示すように、第１ロータアーム１２の少なくとも一部を覆うようにして第１ロータアーム１２に装着されている。また、第１カバー部材１５は、第１ベール支持部材１３の少なくとも一部を覆う。詳細には、第１カバー部材１５は、第１ロータアーム１２および第１ベール支持部材１３のそれぞれを外側から覆うようにして、ねじ部材３２により第１ロータアーム１２に固定されている。ねじ部材３２は、第１カバー部材１５に設けられたねじ挿通孔１５ｄを挿通して、後述する第１ロータアーム１２の第２ボス部１２ｂのねじ孔に螺合している（図６参照）。
【００３２】
第１カバー部材１５は、図３及び図４に示すように、カバー本体部１５ａと、延伸部１５ｂと、係合部１５ｃと、を有している。カバー本体部１５ａは、第１ロータアーム１２の少なくとも一部を外側から覆う。本実施形態では、カバー本体部１５ａは、第１ロータアーム１２の後端部から第１ベール支持部材１３の外縁に近接する位置まで延びて第１ベール支持部材１３に滑らかに接続されている（図１及び図３参照）。カバー本体部１５ａと第１ロータアーム１２との間の内部空間には、周知のベール反転機構３３が設けられている。
【００３３】
延伸部１５ｂは、カバー本体部１５ａよりも径方向外側に設けられ、第１ベール支持部材１３および第１連結部材１４の少なくとも一部を覆う。延伸部１５ｂと第１連結部材１４とは、径方向において、少なくとも一部が互いに重なる位置に配置されている。本実施形態では、延伸部１５ｂは、径方向において、頭部１４ｂと重なる部分が頭部１４ｂに接触している。延伸部１５ｂは、カバー本体部１５ａの中間部付近から外側に湾曲して、第１連結部材１４の被係合部１４ｃを覆う位置まで延びている。延伸部１５ｂは、概ね板状であり、前方に延びるにしたがって先細り形状に形成されている（図３参照）。
【００３４】
延伸部１５ｂは、第１ベール支持部材１３を覆う部分において、第１ベール支持部材１３の揺動を妨げないように、第１ベール支持部材１３と径方向に間隔を隔てて設けられている。これにより、第１ベール支持部材１３が揺動する際に延伸部１５ｂと第１ベール支持部材１３との接触を回避することができる。
【００３５】
係合部１５ｃは、図４に示すように、第１連結部材１４の被係合部１４ｃに係合する。詳細には、係合部１５ｃは、第１カバー部材１５の延伸部１５ｂの先端部から内側に突出する円柱状の突起であり、被係合部１４ｃの円形凹部１４ｅに係合する。係合部１５ｃの直径は、被係合部１４ｃの直線凹部１４ｆの幅よりも大きい。係合部１５ｃを円形凹部１４ｅに係合させることで、係合部１５ｃを直線凹部１４ｆに係合させた場合と比べて、延伸部１５ｂを確実に位置決めすることができる。
【００３６】
また、延伸部１５ｂと第１ベール支持部材１３との間、すなわち延伸部１５ｂと第１連結部材１４との間に釣り糸が侵入しようとした場合には、係合部１５ｃが釣り糸に接触して、釣り糸の侵入を妨げることができる。
【００３７】
図６は、第１カバー部材１５を第１ロータアーム１２から取り外したときの斜視図である。図３及び図６に示すように、補完カバー部材１６は、第１ロータアーム１２と第１カバー部材１５の延伸部１５ｂとの間を覆う。詳細には、第１カバー部材１５に延伸部１５ｂを設けた場合、径方向において、延伸部１５ｂと第１ロータアーム１２との間に構造的に隙間が出来てしまう。この隙間を補完カバー部材１６によって覆うことで、ロータ３の見栄えが向上する。
【００３８】
補完カバー部材１６は、略Ｙ字形状であり、概ね前後方向に延びる第１補完部１６ａと、円弧状の第２補完部１６ｂと、を有している。第１補完部１６ａおよび第２補完部１６ｂによって、延伸部１５ｂと第１ロータアーム１２との間の隙間が覆われている。
【００３９】
第１補完部１６ａは、第１補完部１６ａから外側に突出した段差部１６ｃを有している。段差部１６ｃは、図３に示すように、第１カバー部材１５が第１ロータアーム１２に固定された状態において、外側から見える位置に形成されている。また、第１補完部１６ａは、後端に第１ロータアーム１２の第２ボス部１２ｂの外周に支持される支持部１６ｄを有している。
【００４０】
第２補完部１６ｂは、第１補完部１６ａの前端側で、第１ベール支持部材１３の外縁に沿うように円弧状に形成されている。第２補完部１６ｂと第１補完部１６ａの段差部１６ｃとは、滑らかに接続されている。第２補完部１６ｂの両端は、第１ロータアーム１２に設けられた係合凹部１２ｃ，１２ｄにそれぞれ係合する。
【００４１】
補完カバー部材１６は、第１ロータアーム１２と第１カバー部材１５とに挟み込まれて、第１ロータアーム１２から抜け止めされるとともに、補完カバー部材１６のガタツキが抑えられている。
【００４２】
本実施形態では、第２ロータアーム２２側に配置される第２ベール支持部材２３、第２連結部材２４、及び第２カバー部材２５は、図１及び図２に示すように、第１ベール支持部材１３、第１連結部材１４、及び第１カバー部材１５と同様の構成である。すなわち、第２連結部材２４は、被係合部２４ｃを有し、第２カバー部材２５は、被係合部２４ｃに係合する係合部２５ｃを有している。このため、第２ロータアーム２２側においても、第２ベール支持部材２３と第２カバー部材２５との間に釣り糸が侵入しようとした場合には、係合部２５ｃが釣り糸に接触して、釣り糸の侵入を妨げることができる。なお、第２ベール支持部材２３、第２連結部材２４、及び第２カバー部材２５の詳細な説明は省略する。
【００４３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００４４】
（ａ）前記実施形態では、第２ロータアーム２２側に配置される第２ベール支持部材２３、第２連結部材２４、及び第２カバー部材２５を、第１ベール支持部材１３、第１連結部材１４、及び第１カバー部材１５と同様の構成にしていたが、必ずしも同様の構成にする必要はない。また、第１カバー部材１５及び第１連結部材１４と同様の構成を、第２ロータアーム２２側のみに設けてもよい。また、ロータ３に補完カバー部材１６を必ずしも設ける必要はない。
【００４５】
（ｂ）被係合部１４ｃおよび被係合部１４ｃに係合する係合部１５ｃの形状は前記実施形態に限定されるものではない。また、被係合部１４ｃに必ずしも円形凹部１４ｅを設ける必要はない。被係合部１４ｃは、例えば直線状の凹部のみでもよいし、十字状であってもよい。
【符号の説明】
【００４６】
１  リール本体
３  ロータ
１１  円筒部
１２  第１ロータアーム
１３  第１ベール支持部材
１４  第１連結部材
１４ａ  揺動軸部
１４ｂ  頭部
１４ｃ  被係合部
１４ｄ  ねじ部
１５  第１カバー部材
１５ａ  カバー本体部
１５ｂ  延伸部
１５ｃ  係合部
１６  補完カバー部材
２２  第２ロータアーム
２３  第２ベール支持部材
２４  第２連結部材
２４ｃ  被係合部
２５  第２カバー部材
２５ｃ  係合部
１００  スピニングリール
【図１】
2019041716.tif 000003
【図２】
2019041716.tif 000004
【図３】
2019041716.tif 000005
【図４】
2019041716.tif 000006
【図５】
2019041716.tif 000007
【図６】
2019041716.tif 000008